(57)【要約】【課題】  芳香剤を入れる必要がなく、また、コストもかけないで、芳香を放つ収納ボックスを提供すること。【解決手段】  底面１０１と、底面１０１の周縁から直立する壁面１０２と、を有する収納ボックス１００であって、底面１０１及び壁面１０２は、オレンジの芳香を有する香料を混合したポリプロピレンにより形成されていることを特徴とする収納ボックス１００を提供する。【選択図】    図１
2005170446.tif 000002
【特許請求の範囲】
【請求項１】
底面と、前記底面の周縁側から直立する壁面と、を少なくとも有する収納ボックスであって、
前記底面又は前記壁面の少なくとも一部は、香料を混合した樹脂により形成されていることを特徴とする収納ボックス。
【請求項２】
前記香料は、少なくとも色彩を有する物の香りを抽出又は合成したものであり、
前記収納ボックスには、前記物の色彩が施されていることを特徴とする請求項１に記載の収納ボックス。
【請求項３】
前記香料は、少なくとも形状を有する物の香りを抽出又は合成したものであり、
前記収納ボックスには、前記物の形状が描かれていることを特徴とする請求項１又は２に記載の収納ボックス。
【請求項４】
前記香料は、少なくとも形状を有する物の香りを抽出又は合成したものであり、
前記収納ボックスの形状は、前記物の形状を模したものであることを特徴とする請求項１乃至３の何れか一項に記載の収納ボックス。
【請求項５】
底面と、前記底面の周縁側から直立する壁面と、を少なくとも有する収納ボックスに用いられる蓋であって、
上面と、前記上面の周縁側から垂下し、前記壁面に嵌合する周壁と、を少なくとも備え、
前記上面又は前記周壁の少なくとも一部は、香料を混合した樹脂により形成されていることを特徴とする蓋。
【請求項６】
前記香料は、少なくとも色彩を有する物の香りを抽出又は合成したものであり、
前記蓋には、前記物の色彩が施されていることを特徴とする請求項５に記載の蓋。
【請求項７】
前記香料は、少なくとも形状を有する物の香りを抽出又は合成したものであり、
前記蓋には、前記物の形状が描かれていることを特徴とする請求項５又は６に記載の蓋。
【請求項８】
前記香料は、少なくとも形状を有する物の香りを抽出又は合成したものであり、
前記蓋の形状は、前記物の形状を模したものであることを特徴とする請求項５乃至７の何れか一項に記載の蓋。
【請求項９】
底面板と、上面板と、前記底面板及び前記上面板との間に所定の間隔を空けように前記底面板及び前記上面板の周縁に連結された側方部材と、により構成される枠体と、
底板と、前記底板の周縁側から直立する壁板と、を少なくとも有し、前記底面板及び前記上面板との間に収納される収納体と、
を備える収納用構造体であって、
前記枠体又は前記収納体の少なくとも一部は、香料を混合した樹脂により形成されていることを特徴とする収納用構造体。
【請求項１０】
前記枠体は、前記底面板及び前記上面板との間を横方向に仕切る仕切板を少なくとも一つ備えており、
前記収納体は、前記底面板と前記仕切板との間、前記仕切板同士の間又は前記仕切板と前記上面板との間の少なくとも二つ以上の間に複数収納されることを特徴とする請求項９に記載の収納用構造体。
【請求項１１】
前記収納体の少なくとも一部は、香料を混合した樹脂により形成されており、
隣接する前記収納体には、それぞれ異なる香りの香料が混合されていることを特徴とする請求項１０に記載の収納用構造体。
【発明の詳細な説明】
【技術分野】
【０００１】
本発明は、収納ボックスに関し、特に、靴や衣料品などを収納する収納ボックスに関する。
【背景技術】
【０００２】
従来から、靴や衣料品などを収納するために収納ボックスが使用されており、従来の収納ボックスとしては、例えば特許文献１に表されている収納ボックスが使用されている。
【０００３】
図５に表されているように、特許文献１に表されている収納ボックス５００は、底面５０１の周縁から直立する壁面５０２を有しており、この壁面５０２の上方から、底面５０１及び壁面５０２により囲まれた空間５０３内に、靴や衣服等を収納することができるようにされていた。
【０００４】
なお、特許文献１に表されている収納ボックス５００においては、靴下や下着などを収納する際に便利なように、小物収納箱を壁面５０２の上端５０２ａに乗せることができるようにしている。
【０００５】
このように構成される従来の収納ボックス５００においては、この収納ボックス５００の中に芳香剤を入れることにより、収納ボックス５００の内部に好みの香りを付けるようにしていた。
【特許文献１】特開平７−２７７３４０号公報
【発明の開示】
【発明が解決しようとする課題】
【０００６】
しかしながら、従来のように、芳香剤を入れることにより、収納ボックス５００の内部に好みの香りを付けるようにした場合には、芳香剤の効果が切れる度に芳香剤を入れ直さなければならず、面倒であるとともにコストもかかり不便であった。
【０００７】
そこで、本発明は、芳香剤を入れる必要がなく、また、コストもかけないで、芳香を放つ収納ボックスを提供することを目的とする。
【課題を解決するための手段】
【０００８】
以上の課題を解決するため、本発明は、底面と、前記底面の周縁側から直立する壁面と、を少なくとも有する収納ボックスであって、前記底面又は前記壁面の少なくとも一部は、香料を混合した樹脂により形成されていることを特徴とする収納ボックスを提供する。
【０００９】
このように、香料を混合した樹脂により収納ボックスの少なくとも一部を形成することで、芳香剤を使用する必要がなくなる。
【００１０】
ここで、香料については、どのようなものであっても良いが、例えば、少なくとも色彩を有する物の香りを抽出又は合成したものを用いる場合には、収納ボックスにこの物の色彩を施こすことにより、香りの種類をイメージすることができ好適である。
【００１１】
また、香料として少なくとも形状を有する物の香りを抽出又は合成したものを用いる場合には、収納ボックスにこの物の形状を描くことにより、香りの種類を容易に特定することができるようになる。
【００１２】
さらに、香料として少なくとも形状を有する物の香りを抽出又は合成したものを用いる場合には、この物の形状を模して収納ボックスの形状とすることでも香りの種類を容易に特定することができるようになる。
【００１３】
また、本発明は、底面と、前記底面の周縁側から直立する壁面と、を少なくとも有する収納ボックスに用いられる蓋であって、上面と、前記上面の周縁側から垂下し、前記壁面に嵌合する周壁と、を少なくとも備え、前記上面又は前記周壁の少なくとも一部は、香料を混合した樹脂により形成されていることを特徴とする蓋を提供する。
【００１４】
このように、香料を混合した樹脂により蓋の少なくとも一部を形成することで、芳香剤を使用する必要がなくなる。
【００１５】
ここで、香料については、どのようなものであっても良いが、例えば、少なくとも色彩を有する物の香りを抽出又は合成したものを用いる場合には、蓋にこの物の色彩を施こすことにより、香りの種類をイメージすることができ好適である。
【００１６】
また、香料として少なくとも形状を有する物の香りを抽出又は合成したものを用いる場合には、蓋にこの物の形状を描くことにより、香りの種類を容易に特定することができるようになる。
【００１７】
さらに、香料として少なくとも形状を有する物の香りを抽出又は合成したものを用いる場合には、この物の形状を模して蓋の形状とすることでも香りの種類を容易に特定することができるようになる。
【００１８】
なお、以上に記載した収納ボックスと蓋とは、適時組み合わせることもできる。
【００１９】
また、本発明は、底面板と、上面板と、前記底面板及び前記上面板との間に所定の間隔を空けように前記底面板及び前記上面板の周縁に連結された側方部材と、により構成される枠体と、底板と、前記底板の周縁側から直立する壁板と、を少なくとも有し、前記底面板及び前記上面板との間に収納される収納体と、を備える収納用構造体であって、前記枠体又は前記収納体の少なくとも一部は、香料を混合した樹脂により形成されていることを特徴とする収納用構造体を提供する。
【００２０】
香料を混合した樹脂により枠体又は収納体の少なくとも一部を形成することにより、芳香剤を使用する必要がなくなる。
【００２１】
なお、この枠体については、底面板及び上面板との間を横方向に仕切る仕切板を少なくとも一つ備えておき、収納体は、底面板と前記仕切板との間、仕切板同士の間又は仕切板と上面板との間の少なくとも二つ以上の間に複数収納されるようにすることもできる。
【００２２】
ここで、枠体の中に、複数の収納体を収納する場合には、香料を混合した樹脂により収納体の少なくとも一部を形成し、隣接する収納体には、それぞれ異なる香りの香料が混合されるようにすることが望ましい。
【００２３】
また、枠体の中に、複数の収納体を収納する場合には、少なくとも色彩を有する物の香りを抽出又は合成した香料を混合した樹脂により収納体の少なくとも一部を形成し、かつ、この収納体にこの物の色彩を施し、隣接する収納体には、それぞれ異なる香りの香料が混合され、かつ、それぞれ異なる色彩が施されているようにすることが望ましい。
【発明の効果】
【００２４】
以上のように、本発明によれば、香料を混合した樹脂により少なくとも一部が形成されているため、芳香剤を使用する必要がなくなり、コストをかけないで、芳香を放つ収納ボックスを提供することができる。
【発明を実施するための最良の形態】
【００２５】
図１は、本発明の第一の実施形態に係る収納ボックス１００の上方斜視図である。
【００２６】
本実施形態に係る収納ボックス１００は、底面１０１と、底面１０１の周縁から直立する壁面１０２と、により形成されている。
【００２７】
底面１０１は、板状部材を矩形状にすることにより形成されており、この底面１０１の周縁からは壁面１０２が直立している。
【００２８】
そして、これらの底面１０１と壁面１０２とにより囲まれた空間内に衣料や靴などを収納することができるようにされている。
【００２９】
ここで、底面１０１及び壁面１０２の形状・大きさについては、これらにより囲まれた空間内に衣料等を収納することができる範囲で適時選択すればよい。
【００３０】
そして、底面１０１及び壁面１０２については、香料を混合した樹脂により形成されている。
【００３１】
ここで、香料としては、樹脂に混合することにより所定の芳香を放つことができるものであればどのようなものであってもよく、本実施形態においては、オレンジの果肉から抽出した成分を用いてオレンジの芳香を放つ香料を用いている。
【００３２】
また、樹脂としては、収納ボックス１００して成形することができるものであればどのようなものであっても良いが、例えば、ポリエチレン、ポリプロピレン、ポリ塩化ビニル、ポリアミド等の汎用の樹脂を使用してもよく、また、ポリ−３−ハイドロキシ酪酸エステル、カードラン、プルラン、セルロース、デンプン、アミロース、キチン等の糖質、グルテン、ゼラチン等のタンパク質、コラーゲン、発酵ポリアミノ酸、合成ポリアミノ酸、酢酸セルロース、ポリカプロラクトン、ポリ乳酸、ポリグリコリド、３−ヒドロキシブチレート、ポリビニルアルコール、ＥＶＯＨ、ポリラクタイド、ポリプロピオラクトン、各種グリコールとジカルボン酸との組合せにより生成される脂肪族ポリエステル（例えば、エチレングリコール〜シュウ酸系、１，４−ブタンジオール〜シュウ酸系、エチレングリコール〜コハク酸系、１，４−ブタンジオール〜コハク酸系、１，４−ブタンジオール〜コハク酸〜アジピン酸系等）、ポリエチレングリコール、ポリプロピレングリコール、デンプンとポリビニルアルコール又はデンプンとポリビニルアルコールとポリカプロラクトン等上記分解性樹脂の２種類または３種類以上を混合した物等の生分解性樹脂を使用してもよい。
【００３３】
香料と樹脂に混合する場合には、香料を樹脂に直接混合しても良いが、ゼオライトや珪藻土等の多孔性物質に香料を吸着させてから樹脂に混合することにより、樹脂を混成する際に熱を用いた場合でも、香料が揮発してしまうことがなくなり好適である。
【００３４】
ここで、使用することのできる多孔性物質としては、ゼオライト、リン酸カルシウム、炭酸カルシウム、水酸化アルミニウム、タルク、アルミナ、炭酸バリウム、硫酸バリウム、炭酸カルシウム、リン酸３カルシウム、２リン酸水素カルシウム、酸化マグネシウム、シリカゲル、硫酸マグネシウム、水酸化マグネシウム、酸化ケイ素、酸性白土、珪藻土、活性白土、活性炭、デンプン、カルボキシルメチルセルロース、木粉、むぎわら等がある。
【００３５】
この点、本実施形態においては、香料にゼオライトを浸積して吸着させてから、樹脂としてのポリプロピレンに混成している。
【００３６】
なお、香料に浸積したゼオライトとポリプロピレンとの混合割合については、香料の芳香をどの程度放つのが好適かを考慮して適時選択すればよい。
【００３７】
また、本実施形態における底面１０１及び壁面１０２については、オレンジ色の顔料をポリプロピレンに混成してから形成することにより、オレンジ色にされている。
【００３８】
したがって、本実施形態においては、収納ボックス１００がオレンジの芳香を放つとともにオレンジ色にされているため、嗅覚ばかりでなく視覚からもオレンジであることが認識されるようになる。
【００３９】
以上のように、本実施形態においては、底面１０１及び壁面１０２について香料を混合した樹脂により形成しているため、改めて芳香剤を購入する必要がなく、また、芳香剤を取り替える必要がなくなり便利である。
【００４０】
なお、本実施形態においては、収納ボックス１００の底面１０１及び壁面１０２の全体について香料を混合した樹脂により形成しているが、これらのどちらか一方又はこれらの一部について香料を混合した樹脂により形成することも可能である。
【００４１】
また、本実施形態では、オレンジの芳香がする香料を混合しているが、オレンジに限られるわけではなく、その他の芳香がする香料を混合することも可能である。
【００４２】
さらに、本実施形態においては、収納ボックス１００の底面１０１及び壁面１０２の全体についてオレンジ色にしているが、これらのどちらか一方又はこれらの一部についてのみオレンジ色にすることも可能である。
【００４３】
また、本実施形態に係る収納ボックス１００においては、底面１０１を矩形状に形成し、その周縁から壁面１０２を直立させることにより、横断面が矩形状となるように形成しているが、この形状に限定されるわけではなく、例えば、底面１０１を円形に形成し、その周縁から壁面１０２を直立させることにより、横断面が円形となるように形成する等任意の形状を選択することができる。
【００４４】
図２は、本発明の第二の実施形態に係る蓋２００の上方斜視図である。
【００４５】
本実施形態に係る蓋２００は、上面２０１と、周壁２０２と、により構成されている。
【００４６】
ここで、本実施形態に係る蓋２００における上面２０１は、板状部材を矩形状にすることにより形成されており、この上面２０１の周縁から周壁２０２が垂下している。
【００４７】
ここで、蓋２００は、例えば、図１に表されている第一の実施形態に係る収納ボックス１００のように底面１０１と側壁１０２とを有する収納ボックス１００の上端に嵌め込まれるものであって、その形状や大きさについては、蓋２００を取り付ける収納ボックスの形状や大きさに対応して、すなわち、蓋２００の周壁２０２が収納ボックスの側壁に外側から嵌合することができるように形成される。
【００４８】
この点、押し入れに設置される収納ボックスについては、その大きさ・形状がほぼ定まった値となるため、その大きさ・形状に合わせて蓋２００の大きさ・形状を設計すれば、蓋２００を汎用のものとして提供することができる。
【００４９】
また、本実施形態に係る蓋２００の上面２０１及び周壁２０２についても、第一の実施形態に係る収納ボックス１００と同様に、オレンジの芳香を放つ香料を混合したポリプロピレンにより形成されている。
【００５０】
さらに、本実施形態に係る蓋２００の上面２０１及び周壁２０２は、第一の実施形態に係る収納ボックスと同様にオレンジ色にされている。
【００５１】
加えて、本実施形態においては、蓋２００の上面２０１にオレンジの絵２０３が描かれているため、蓋２００を見ればすぐにオレンジの芳香を放つものであることを確認することができるようにされている。
【００５２】
なお、本実施形態においても、蓋２００の上面２０１又は周壁２０２の何れか一方又は一部について香料を混合した樹脂により形成することも可能であり、また、これらの何れか一方又は一部をオレンジ色にすることも可能である。
【００５３】
また、本実施形態に係る蓋２００においては、上面２０１を矩形状に形成し、その周縁から周壁２０２を垂下することにより、横断面が矩形状となるように形成しているが、これは、横断面が矩形状の収納ボックスに用いることを想定したものであって、この蓋２００の形状については、蓋２００をする収納ボックスの横断面の形状に合わせて適時変更することができる設計事項である。
【００５４】
さらに、本実施形態においては、蓋２００の上面２０１にオレンジの絵２０３を一つのみ描いているが、これを複数描くことも可能であり、周壁２０２に描くことも可能である。
【００５５】
図３は、本発明の第三の実施形態に係る収納ケース３００の上方斜視図である。
【００５６】
本実施形態に係る収納ケース３００は、収納ボックス本体３０１と、蓋体３０２と、により構成されている。
【００５７】
収納ボックス本体３０１は、底面体３０３と、底面体３０３の周縁から直立する壁面体３０４と、により形成されており、これらの底面体３０３及び壁面体３０４により囲まれた空間内に衣料や靴などを収納することができるようにされている。
【００５８】
ここで、本実施形態における収納ボックス本体３０１の底面体３０３は、板状部材をイチゴの平面形状を模して角を丸めた三角形状に形成されている。
【００５９】
そして、壁面体３０４についても、イチゴの平面形状を模して角を丸めた三角形状に形成されている底面体３０３の周縁から直立している関係上、底面体３０３の周縁に沿って湾曲している。
【００６０】
また、本実施形態における収納ボックス本体３０１の底面体３０３及び壁面体３０４は、イチゴの芳香を放つ香料が混合されたポリプロピレンにより形成されている。
【００６１】
さらに、本実施形態においては、収納ボックス本体３０１の全体が、イチゴの色彩に合わせて赤色にされている。
【００６２】
また、蓋体３０２は、上面体３０５と、上面体３０５の周縁から垂下する周壁体３０６と、により形成されており、この周壁体３０６が収納ボックス本体３０１の壁面体３０４の外側からこの壁面体３０４に嵌合するようにすることにより、蓋体３０２は収納ボックス本体３０１の上端に着脱自在に取り付けることができるようにされている。
【００６３】
ここで、蓋体３０２の上面体３０５についても、収納ボックス本体３０１の底面体３０３と同様に、板状部材をイチゴの平面形状を模して角を丸めた三角形状となるように形成されており、この上面体３０５の周縁から垂下する周壁体３０６は、この上面体３０５の周縁に沿って湾曲している。
【００６４】
また、本実施形態における蓋体３０２には、イチゴの蔕を模した蔕部３０８が取り付けられている。
【００６５】
そして、本実施形態における蓋体３０２の上面体３０５及び周壁体３０６についても、収納ボックス本体３０１と同様に、イチゴの芳香を放つ香料が混合されたポリプロピレンにより形成されている。
【００６６】
さらに、本実施形態における蓋体３０２は、蔕部３０８をグリーン色にしている他は、イチゴの色に対応させて赤色に形成されており、上面体３０５の表面には、黒色の塗料で、イチゴの種の絵３０９が描かれている。
【００６７】
このように本実施形態においては、イチゴの芳香を放つ香料が混合されたポリプロピレンにより収納ボックス本体３０１及び蓋体３０２を形成し、これらの形状についてもイチゴの平面形状とし、イチゴの色彩に合わせて赤色にし、蔕部３０８を取り付け、イチゴの種の絵３０９も描いているため、イチゴの芳香を放つものであることを視覚的にも確認することができるようになる。
【００６８】
以上のように、本実施形態においては、収納ボックス本体３０１及び蓋体３０２の全体について香料を混合した樹脂により形成しているが、これらのどちらか一方又はこれらの一部について香料を混合した樹脂により形成することも可能である。
【００６９】
また、本実施形態では、イチゴの芳香がする香料を混合しているが、イチゴに限られるわけではなく、その他の芳香がする香料を混合することも可能であるが、その場合にも、収納ボックス本体３０１及び蓋体３０２の形状をその他の物の形状に対応させて形成することで、視覚によりそのものを確認することができる。
【００７０】
さらに、本実施形態においては、収納ボックス本体３０１及び蓋体３０２の全体について赤色にしているが、これらのどちらか一方又はこれらの一部についてのみ赤色にすることも可能である。
【００７１】
図４は、本考案の第四の実施形態に係る収納用構造体４００の上方斜視図である。
【００７２】
本実施形態に係る収納用構造体４００は、底面板４０１、側方部材としての側面板４０２、上面板４０３及び仕切板４０４からなる枠体４０５と、底板４０６及び壁板４０７からなる三つの収納体４０８Ａ、４０８Ｂ、４０８Ｃと、により構成されている。
【００７３】
枠体４０５は、矩形状の板状に形成されている底面板４０１と、底面板４０１の側面及び背面の周縁から直立する側面板４０２と、側面板４０２の上方を覆う矩形状の板状に形成されている上面板４０３と、により囲まれた内部空間を有しており、この内部空間については、二つの仕切板４０４を等間隔に配置することにより、横方向に分割している。
【００７４】
そして、底面板４０１、側面板４０２及び仕切板４０４により囲まれた空間、側面板４０２及び二つの仕切板４０４により囲まれた空間並びに仕切板４０４、側面板４０２及び上面板４０３により囲まれた空間のそれぞれには、後述する収納体４０８Ａ、４０８Ｂ、４０８Ｃをそれぞれ一つずつ収納することができるようにされている。
【００７５】
収納体４０８Ａ、４０８Ｂ、４０８Ｃは、矩形状の板状に形成されている底板４０６と、底板４０６の周縁から直立する側壁板４０７と、により囲まれた空間に衣料や靴等を収納することができるようにされている。
【００７６】
なお、この収納体４０８Ａ、４０８Ｂ、４０８Ｃの形状・大きさについては、上述した枠体４０５に形成されている空間に収納することができる範囲で適時選択することができる設計事項である。
【００７７】
ここで、第一の収納体４０８Ａについては、第一の実施形態と同様に、オレンジの芳香を有する香料を含有したポリプロピレンにより形成されており、オレンジ色の顔料をポリプロピレンに混ぜることによりオレンジ色に形成されている。
【００７８】
また、第二の収納体４０８Ｂについては、レモンの芳香を有する香料を含有したポリプロピレンにより形成されており、レモン色の顔料をポリプロピレンに混ぜることによりレモン色に形成されている。
【００７９】
さらに、第三の収納体４０８Ｃについては、第二の実施形態と同様に、イチゴの芳香を有する香料を含有したポリプロピレンにより形成されており、イチゴの色に対応した赤色の顔料をポリプロピレンに混ぜることにより赤色に形成されている。
【００８０】
このように、本実施形態においては、異なる芳香を放つ収納体を異なる色に形成することで、異なる芳香であることを確認することができるようにされている。
【００８１】
ここで、本実施形態においては、収納体４０８Ａ、４０８Ｂ、４０８Ｃについてのみ香料を混合した樹脂により形成しているが、枠体４５についても香料を混合した樹脂により形成することも可能であり、また、枠体４５又は収納体４０８Ａ、４０８Ｂ、４０８Ｃの一部のみを香料を混合した樹脂により形成することも可能である。
【００８２】
また、本実施形態においては、枠体４０５の底面板４０１、側面板４０２及び仕切板４０４により囲まれた空間、側面板４０２及び二つの仕切板４０４により囲まれた空間並びに仕切板４０４、側面板４０２及び上面板４０３により囲まれた空間をそれぞれ同じ形状・大きさに形成し、これらに収納される収納体４０８Ａ、４０８Ｂ、４０８Ｃについても全て同じ形状・大きさに形成しているが、上述の空間をそれぞれ異なる形状・大きさに形成し、この形状・大きさに合わせて異なる形状・大きさの収納体４０８Ａ、４０８Ｂ、４０８Ｃを形成することも可能である。
【００８３】
また、本実施形態においては、底面板４０１と、側面板４０２と、上面板４０３と、により囲まれた内部空間を二つの仕切板４０４で横方向に仕切ることで、この内部空間を三つに分割しているが、仕切板４０４の数については、これに限定されるわけではなく、任意の数を選択することができる。
【図面の簡単な説明】
【００８４】
【図１】第一の実施形態に係る収納ボックス１００の上方斜視図。
【図２】第二の実施形態に係る蓋２００の上方斜視図。
【図３】第三の実施形態に係る収納ケース３００の上方斜視図。
【図４】第四の実施形態に係る収納用構造体４００の上方斜視図。
【図５】従来の収納ボックス５００の上方斜視図。
【符号の説明】
【００８５】
１００  収納ボックス
１０１  底面
１０２  壁面
２００  蓋
２０１  上面
２０２  周壁
３００  収納ケース
３０１  収納ボックス本体
３０２  蓋体
３０３  底面体
３０４  壁面体
３０５  上面体
３０６  周壁体
４００  収納用構造体
４０１  底面板
４０２  側面板
４０３  上面板
４０４  仕切板
４０５  枠体
４０６  底板
４０７  壁板
４０８  収納体
【図１】
2005170446.tif 000003
【図２】
2005170446.tif 000004
【図３】
2005170446.tif 000005
【図４】
2005170446.tif 000006
【図５】
2005170446.tif 000007